(57)【要約】【課題】      リュックサック本体に保持した釣竿が何かに引っ掛かっても抜け落ちることを防止した釣り用リュックサックを提供することである。【解決手段】  リュックサック本体１の周囲の織布１ｂの上面にはリュックサック本体１の内部にポケット５が形成されて収納部Ａの中に垂下されている。  ポケット５はクロロプレンゴム等の伸縮性を有する材料で袋状に形成され、リュックサック本体１の織布より伸縮性を有している。  リュックサック本体１の上面のポケット５の開口部はチャックからなる係止具６で閉塞することが可能で、ポケット５は収納物を入れて係止具６で閉じられると共に、ポケット５は開口部から上方のリュックサック本体１外側へ裏返して引き出すことが可能で、裏返して引き出されたポケット５の中には釣竿１１の上端側が差し込まれる。【選択図】        図４
2006141245.tif 000002
【特許請求の範囲】
【請求項１】
リュックサック本体の上部に上方に開口部を有するポケットを設け、該ポケットは前記開口部からリュックサック本体外側へ裏返して引き出すことが可能であることを特徴とする釣り用リュックサック。
【請求項２】
ポケットは袋状に形成されていることを特徴とする請求項１記載の釣り用リュックサック。
【請求項３】
ポケットは伸縮性を有する材料で形成されていることを特徴とする請求項１または２記載の釣り用リュックサック。
【請求項４】
ポケットの開口部は係止具で閉塞することが可能であることを特徴とする請求項１乃至３記載の釣り用リュックサック。
【請求項５】
リュックサック本体の内面に釣竿入れが着脱可能に保持されていることを特徴とする請求項１乃至４記載の釣り用リュックサック。
【発明の詳細な説明】
【技術分野】
【０００１】
本発明は、リュックサック本体の内部に釣竿が入れ易い釣り用リュックサックに関する。
【背景技術】
【０００２】
従来から釣り用リュックサックには釣竿を収納することがあり、その取り付け方において釣竿が長いとリュックサック本体から突出し、釣り場へ向かう途中薮の中を通過するときなど釣竿が引っ掛かって進行の妨げになったり、あまり乱暴に進行すると引っ掛かった釣竿が破損する虞があつた。
特許文献１の釣り用リュックサックでは、上下の収納部の仕切に孔を設け釣竿を収納できるようになっているが、上面の収納部の開口からはみ出した釣竿を突出させて収納しているため釣竿が何かに引っ掛かったとき抜け落ちてしまう虞があった。
特許文献２の釣り用リュックサックでは釣竿を収納する釣竿ケ−スを帯状の保持具でリュックサック本体のサイドに取り付けており、釣竿ケ−スが何かに引っ掛かったとき抜け落ちてしまう虞があった。
【特許文献１】実開昭５６−１１４６７９号公報
【特許文献２】実開平２−９０９７４号公報
【発明の開示】
【発明が解決しようとする課題】
【０００３】
解決しようとする問題点は、釣り用リュックサックに保持した釣竿が何かに引っ掛かったとき抜け落ちてしまう虞があること。
【０００４】
本発明の目的は前記欠点に鑑み、リュックサック本体に保持した釣竿が何かに引っ掛かっても抜け落ちることを防止した釣り用リュックサックを提供することである。
【課題を解決するための手段】
【０００５】
本発明の請求項１は、リュックサック本体の上部に上方に開口部を有するポケットを設け、該ポケットは前記開口部からリュックサック本体外側へ裏返して引き出すことが可能であることを要旨とするものである。
本発明の請求項２は、ポケットは袋状に形成されていることを要旨とするものである。
本発明の請求項３は、ポケットは伸縮性を有する材料で形成されていることを要旨とするものである。
本発明の請求項４は、ポケットの開口部は係止具で閉塞することが可能であることを要旨とするものである。
本発明の請求項５は、リュックサック本体の内面に釣竿入れが着脱可能に保持されていることを要旨とするものである。
【発明の効果】
【０００６】
本発明により、リュックサック本体からはみ出す長さの釣竿を収納でき、保持した釣竿が何かに引っ掛かっても抜け落ちることを防止する。
【発明を実施するための最良の形態】
【０００７】
釣り用リュックサックは、リュックサック本体１がナイロン等の合成樹脂繊維の織布で形成されて背部側の織布１ａに周囲の織布１ｂが縫製等で固定されている。
リュックサック本体１の背面にはチャックからなる係止具３で蓋体４が開閉自在に開口し内部に収納部Ａを有している。
リュックサック本体１の周囲の織布１ｂの上面（リュックサック本体１の上面１ｃ）にはリュックサック本体１の内部にポケット５が形成されてリュックサック本体１ｃに取り付けられ収納部Ａの中に垂下されている。
ポケット５はクロロプレンゴム等の伸縮性を有する材料で袋状に形成され、リュックサック本体１の織布より伸縮性を有している。
リュックサック本体１の上面のポケット５の物の取り出し口にあたる開口部６ａはチャックからなる係止具６で閉塞することが可能である。
ポケット５は収納物を入れて係止具６で閉じられると共に、ポケット５は開口部６ａから上方のリュックサック本体１外側へ裏返して引き出すことが可能である。
裏返して引き出されたポケット５はリュックサック本体１の上方へ突出し、図４の様に、ポケット５の内側５ａがリュックサック本体１の外部に露出し、ポケット５の外側５ｂが前記突出したポケット５の内側になり、その中には釣竿１１の上端側が差し込まれる。
【実施例１】
【０００８】
以下、図示の一実施例によって本発明を説明すると、図１は釣り用リュックサックの背面から見た斜視図、図２は釣り用リュックサックの断面側面図、図３は長い釣竿を収納した釣り用リュックサックの背面の蓋を開いた斜視図、図４は長い釣竿を収納した釣り用リュックサックの断面側面図である。
【０００９】
釣り用リュックサックは、リュックサック本体１とこのリュックサック本体１を背負うためのショルダ−ベルト２、２を有している。
リュックサック本体１はナイロン等の合成樹脂繊維の織布で形成されて背部側の織布１ａに周囲の織布１ｂが縫製等で固定されている。
リュックサック本体１の背面にはチャックからなる係止具３で蓋体４が開閉自在に開口し内部に収納部Ａを有している。
リュックサック本体１の周囲の織布１ｂの上面（リュックサック本体１の上面１ｃ）にはリュックサック本体１の内部にポケット５が形成されてリュックサック本体１ｃに取り付けられ収納部Ａの中に垂下されている。
【００１０】
ポケット５はクロロプレンゴム等の伸縮性を有する材料で袋状に形成され、リュックサック本体１の織布より伸縮性を有している。
リュックサック本体１の上面のポケット５の物の取り出し口にあたる開口部６ａはチャックからなる係止具６で閉塞することが可能である。
ポケット５は収納物を入れて係止具６で閉じられると共に、ポケット５は開口部６ａから上方のリュックサック本体１外側へ裏返して引き出すことが可能である。
リュックサック本体１の収納部Ａの中の内側面（背部側）に面ファスナ−などからなる係止具７が固定されて釣竿入れ８に固定された面ファスナ−などからなる係止具９で釣竿入れ８が着脱自在に取り付けられている。
釣竿入れ８は長尺に形成されて袋体で一方（上方）に釣竿を差し込む孔が設けられて中に釣竿１０が収納されている。
【００１１】
釣竿がリュックサック本体１の高さより短い場合は図１、図２のようにポケット５をリュックサック本体１の内部に垂下させて収納する。
釣竿入れ８は係止具７と係止具９を互いに止着してリュックサック本体１の収納部Ａの内側面に取り付ける時は、孔８ａを上方に向けて取り付けることで釣竿１０を保持し、釣竿入れ８の孔８ａがポケット５の開口部６ａに向かうように止着できるようになっている。
しかし、釣竿１０がリュックサック本体１の収納部Ａの中ではみ出さずに収納出来るときは、これを傾けて取り付けることも可能である。
釣り用リュックサックに長い釣竿を収納するときは、図３、図４のようにポケット５の係止具６を開いてポケット５の開口部６ａを開け、袋状のポケット５を反転させてリュックサック本体１の開口部から上方側に裏返して引き出す。
引き出されたポケット５はリュックサック本体１の上方へ突出し、ポケット５の内側５ａがリュックサック本体１の外部に露出し、ポケット５の外側５ｂが上方へ引き出されたポケット５の内側になる。
リュックサック本体１の収納部Ａの中の釣竿入れ８′に入れた釣竿１１の上端側をリュックサック本体１内から開口部から上方側へ裏返して引き出したポケット５に差し込み、収納部Ａの開口の蓋体４を閉じる。
更に釣竿１１の上端側はポケット５の中に差し込んだまま収納部Ａの中で垂直に収納してもよいし、好みの方向に傾斜させて収納してもよい。
【００１２】
これによって釣竿１１はリュックサック本体１内に収納しきれない部分が裏返したポケット５内に収納されており、ポケット５と共にリュックサック本体１から外方へ突出した部分は何かに引っ掛かっても釣竿１１は抜け落ちてしまうことが防止される。
更に、釣竿入れ８、８′をリュックサック本体１の内側面に係止具７、９で止着していればぐらつかずに確実に保持出来る。
釣竿入れ８、８′の長さは釣竿１０、１１が倒れない程度短くすれば取り出し易い。
また、ポケット５は伸縮性を有する材料で形成されているため、ある程度釣竿１１の長さに対応して収納できる。
ポケット５の開口部の係止具６はポケット５を裏返して上方側に引き出した時ポケット５の中の釣竿１１に直接触れないので傷つけが防止される。
ポケット５は釣竿１０、１１を使用しているときは、釣竿のトップカバ−等の釣用小物の収納ポケットになる。
【００１３】
前記のように釣り用リュックサックが構成されると、リュックサック本体１からはみ出す長さの釣竿を収納でき、保持した釣竿が何かに引っ掛かっても抜け落ちることを防止できる。
【産業上の利用可能性】
【００１４】
本発明は釣り用リュックサック全般に利用できる。
【図面の簡単な説明】
【００１５】
【図１】釣り用リュックサックの背面から見た斜視図である。
【図２】釣り用リュックサックの断面側面図である。
【図３】長い釣竿を収納した釣り用リュックサックの背面の蓋を開いた斜視図である。
【図４】長い釣竿を収納した釣り用リュックサックの断面側面図である。
【符号の説明】
【００１６】
１  リュックサック本体
５  ポケット
６  係止具
８、８′  釣竿入れ
【図１】
2006141245.tif 000003
【図２】
2006141245.tif 000004
【図３】
2006141245.tif 000005
【図４】
2006141245.tif 000006